(57)【要約】      （修正有）【課題】更なる耐久性の向上が期待される、汎用性の高い且つ施工の容易な保持具を提供する。【解決手段】基本形状として平板１の同一面方向に張出して二ヵ所に設ける平面鍔の一方の平面鍔３を外張り断熱建物の内壁側に設ける構造用合板１１に固定し、張出し長さの異なる平面鍔２ｂに外張り断熱建物の外壁内側に設ける縦胴縁１２を固定する平面鍔を、平板１の略中央に、平面鍔のそれぞれの張出し長さに一致する立側面で固定し、傾斜する一側面を形成する支持立板４を立設して成り、平板１の支持立板４を設ける面の反対側方面の平板１の同一面方向に張出した二ヵ所の内の一ヵ所の平面鍔２ｂに沿って張出す横振れ防止材７を取り付ける平面鍔２ａを平板１の側面に設けた外壁材及び断熱材等を保持する鍔付保持具とするものである。【選択図】図１
0003134907.tif 000002
【実用新案登録請求の範囲】
【請求項１】
外張断熱建物の内壁側下地材と外壁との間に設ける断熱材の落下、移動を防止し、内壁側下地材に一方を固定し他方を外壁材の内側に設ける縦胴縁又は横胴縁に固定する、平板の同一方面片側に張設する張出長さの異なる平面鍔を前記平板の対抗する側面或いは側面近傍の面上に設け、前記平板の略中央に、前記平面鍔のそれぞれの長さに一致する立側面で平面鍔を固定し傾斜する一側面を形成する支持立板が立設して成り、前記平板の支持立板を設ける面の反対側方面片側に横振れ防止材を固定するために張出す平面鍔を前記平板の側面或いは近傍の面上に設ける形状を有することを特徴とする建物の外張断熱工法に於ける鍔付保持具。
【考案の詳細な説明】
【技術分野】
【０００１】  本考案は、建築の外張断熱工法における断熱材と外壁材等を保持する鍔付保持具本体に関するものであり、特に外壁の耐震上の横振れ防止材の取り付けができる保持具に関するものである。
【背景技術】
【０００２】近年では、一般の木造住宅においても省エネルギーの観点から高気密、高断熱の木造住宅が普通に建てられるようになってきているが、基本的には断熱をどのような外壁の構造体として実現するか、と言う点で考えられ、最近では殆どが外張り断熱工法に依る様々な外壁の構造体が使用されている。例えば、外壁材の裏面に発泡系断熱材の保温板を重ね張りした断熱層を設ける壁の構造体或いは繊維系断熱材とプラスチックフィルムの組み合わせにより形成する断熱層を設ける壁の構造体、又この構造体における釘に依り断熱層を固定する釘穴での或いは断熱層の隙間からの空気流動の問題を解決するために為された、柱と外壁材の間に弱熱伝導性の部材を介在させて内壁材の施工直前に、室内側から外装材の裏面にスプレー発泡断熱材を吹き付けて連続した断熱気密層を形成する壁構造体が知られている。更には、木造軸部の外面に１層目の板状断熱材を全面的に張設し、その外面における木造軸部の対応する位置又はそれと直交する位置に所定間隔毎で下地胴縁材を設けて、それを１層目の板状断熱材を貫通して木造軸部に釘打ちで固定し、下地胴縁材間に２層目の板状断熱材を挿入した後に、２層目の板状断熱材及び下地胴縁材の外面に外装材を張設する壁構造体とこの構造体の有する気密性保持上の難点を解決しようとして為された、木造軸部の側面間に直交して１層目の板状断熱材が嵌装され、木造軸部外面と１層目の板状断熱材の外面にわたりシートが張設され、木造軸部に沿ってシート外面から２層目の下地胴縁材が一定間隔で設けられて、その相対する２層目の下地胴縁材間に２層目の板状断熱材が嵌挿されて成る壁構造体などが公知されている。ただ、上記の工法の場合釘等で固定されているため強度不足による壁垂れや熱伝導による壁内部の結露発生等に関わる建物自体の耐久性を低下させている問題があり、更なる耐久性のある断熱建築物が求められているのが現状である。  本出願人は上記問題に鑑み、先に、例えば、特開２００４−１０７９２７、実願２００３−２７２０５４を提案している。前記公知の樹脂製の外張り断熱工法専用の鍔付保持具は、外張り断熱建物の外壁内側に設ける縦胴縁、横胴縁等に、一つの平板の同一面方向に張り出して二カ所に設ける平面鍔の一方を固定し、張り出し長さの異なる他方の平面鍔を内壁側に設ける構造用合板に固定する該平面鍔を、前記平板の略中央に立設固定する支持立板の、前記平面鍔の張出長さに一致する立側面で固定してなる、外壁材或いは断熱材等を保持する鍔付保持具であり、支持立板が外壁材の重量を受け、平板が左右の横振れ防止の役目を果たすもので、耐震性が期待できる。また、樹脂製の熱伝導特性でヒートブリッジによる壁部の結露の発生は小さく耐久性を向上させるものである。しかしながら地球温暖化への対応や原油の高騰に伴い、更なる断熱性能強化の取り組みの求めにより、エネルギーコスト面から汎用断熱材の厚手化は避けられず、これに対して前記鍔付保持具よりも更に耐震上横振れ防止の向上が望まれている。【０００３】
【特許文献１】特開平７−１４５６４３号公報
【特許文献２】実公昭６２−１２００４号公報
【特許文献３】特開平６−４９９１８号公報
【特許文献４】特願２００２−２６９５００
【特許文献５】実願２００３−２７２０５４
【考案の開示】
【考案が解決しようとする課題】
【０００４】  前記、従来公知の高気密・高断熱木造住宅における外壁構造体においては、外壁の厚手化と断熱材を多層に設け厚手化することが耐震上困難である問題があることに鑑み厚手化する極めて汎用性の高い断熱材の固定手段を有する鍔付保持具を提供することが本考案の課題である。
【課題を解決するための手段】
【０００５】  本考案の基本的技術は、先に同一出願人により特許登録及び実用新案登録が為されている鍔付保持具と同様の機能を有する鍔付保持具であり、それにより耐震上の横振れ防止が強化され、厚みの異なる断熱材との組み合わせによる厚い多層断熱構造も可能である。即ち一つの平板の同一面方向に張出して二ヵ所に設ける平面鍔の一方の平面鍔を外張り断熱建物の内壁側に設ける構造用合板に固定し、張出し長さの異なる平面鍔に外張り断熱建物の外壁内側に設ける縦胴縁又は横胴縁を固定する該平面鍔を、前記平板の略中央に、前記平面鍔のそれぞれの張出し長さに一致する立側面で固定し、傾斜する一側面を形成する支持立板を立設して成り、前記平板の支持立板を設ける面の反対側方面片側に張出す横振れ防止材を取り付けるための平面鍔を前記平板の側面或いは近傍の面上に設けた外壁材及断熱材等を保持する壁材保持具としてより横振れ防止を向上させるものとして課題を解決するものである。また樹脂製の熱伝導特性でヒートブリッジによる壁内の結露の発生は小さく建物の耐久性を向上させるものである。
【考案を実施するための最良の形態】
【０００６】平板の同一面方向に張出して二ヵ所に設ける平面鍔の一方の平面鍔を外張り断熱建物の内壁側に設ける構造用合板に固定し、張出し長さの異なる平面鍔に外張り断熱建物の外壁内側に設ける縦胴縁又は横胴縁を固定する該平面鍔を、前記平板の略中央に、前記平面鍔のそれぞれの張出し長さに一致する立側面で固定し、傾斜する一側面を形成する支持立板を立設して成り、前記平板の支持立板を設ける面の反対側方面に前記平板の同一面方向に張出した二ヵ所の内の一ヵ所の平面鍔に沿って張出す横振れ防止材を取り付ける平面鍔を前記平板の側面に設けた外壁材及び断熱材等を保持する鍔付保持具とするものである。
【実施例１】
【０００７】  以下、本考案の実施態様を図面に示す実施例に従って詳述する。  図１に本保持具の一実施例を示すが、後述する横振れ防止材７と縦胴縁１２が取り付けられるように平面鍔２，３を平板１の両端に設けた保持具である。平板１の片側同一面方向に、その両端側面に張出し長さの異なる平面鍔２ｂ及び３を設け、平板１のほぼ中央長手方向に、平面鍔２ｂ，３のそれぞれ張出し長さに一致する立側面で固定し支持立板４を立設し、前記平板１の支持立板４を設ける面の反対側方面片側に張出す横振れ防止材７を取り付ける平面鍔２ａを前記平板１の側面或いは近傍の面上に立設して成る外装材、壁材及び断熱材等の保持具を構成するものである。従って支持立板４には一辺が傾斜する側面５が必然的に形成される。平面鍔３には固定用孔６を設けてビス止め等を可能としている。平面鍔２ａ、平面鍔２ｂは一体で平面鍔２を形成し平板１の側面に張出している。
【実施例２】
【０００８】図２は、他の実施例を示すが、横振れ防止材７に縦胴縁１２を取り付ける構成となる保持具である。図１と同様に平板１に張出し長さの異なる平面鍔２ａ、２ｂ及び３を設けるものであり、片側の平面鍔２ａ、平面鍔２ｂを平板１の一端から横振れ防止材７の厚さに相当する長さだけ内側面上に設けるものである。この場合も平面鍔２ｂ及び３は同一面方向に張出して設けることが必須である。
【実施例３】
【０００９】図３は、本考案における保持具を使用した壁構造を示す斜視図であり、図４は図１の保持具の取り付け状態を示す施工部分図であり、図５は図４の横断面図である。建物屋内の柱９、間柱１０の外側に張る構造用合板１１と外壁材１３との間に、保持具の平面鍔２ｂと平面鍔３との間に狭持する状態で断熱材８を取り付け、外壁材１３と通気層１５を形成するように間隔を置いて設ける外張り断熱工法において、鍔付保持具の平板１の同一面方向に張出して二ヵ所に設ける平面鍔の一方の平面鍔３を建物の内壁側に設ける構造用合板１１にビス等で固定し、張出し長さの異なる平面鍔２ｂに沿って張出す平面鍔２ａに突き付けて横振れ防止材７をビス等で固定し、更に建物の外壁材１３を固定する縦胴縁１２を平面鍔２ｂにビス等で固定するものである。
【実施例４】
【００１０】図６は、本考案における図２の保持具の取り付け状態を示す施工部分図であり、図７は図６の横断面図である。建物屋内の柱９、間柱１０の外側に張る構造用合板１１と外壁材１３との間に、保持具の平面鍔２ｂと平面鍔３との間に狭持する状態で断熱材８を取り付け、外壁材１３と通気層１５を形成するように間隔を置いて設ける外張り断熱工法において、鍔付保持具の平板１に設けた張出し長さの異なる平面鍔の一方の平面鍔３を建物の内壁側に設ける構造用合板１１にビス等で固定し、もう一方の平面鍔２ｂに沿って張出す平面鍔２ａに突き付けて横振れ防止材７をビス等で固定し、更に建物の外壁材１３を固定する縦胴縁１２を横振れ防止材にビス等で固定するものである。
【実施例５】
【００１１】図８は、本考案における図２の保持具の取り付け状態を示す施工部分図であり、図９は図８の横断面図である。建物屋内の柱９、間柱１０の外側に張る構造用合板１１と外壁材１３との間に、保持具の平面鍔２ｂと平面鍔３との間に狭持する状態で断熱材８を取り付け、外壁材１３と通気層１５を形成するように間隔を置いて設ける外張り断熱工法において、鍔付保持具の平板１に設けた張出し長さの異なる平面鍔の一方の平面鍔３を建物の内壁側に設ける構造用合板１１にビス等で固定し、もう一方の平面鍔２ｂに沿って張出す平面鍔２ａに突き付けて横振れ防止の機能も持つ通気孔１７を設けた横胴縁１６をビス等で固定するものである。外装材１３であるサイデイング等の縦張りの場合下地に横胴縁が不可欠であり、通気層を形成するために縦胴縁を更に必要とするが通気孔付横胴縁１６を使用すると通気層１５が同時に形成される。
【考案の効果】
【００１２】本考案により、耐震性が強化された汎用断熱材による厚手化された超高性能な外張り断熱工法が極めて容易に施工ができ、耐震性と高断熱性を有する耐久性のある木造建築物の外壁を構築できる効果を有するものである。また、比較的強度の高い合成樹脂等での一体成形により極めて容易に生産ができ、コストの要らない部品単体とすることが出来、建築の断熱工法における外装材、断熱材或いは屋根材等の保持具となる課題を充分に解決している特有の効果を有するものである。
【産業上の利用可能性】
【００１３】今後に期待される超省エネルギー住宅や無暖房住宅の断熱材の厚手化による耐震性の課題を解決する建築用部材として本考案における実施がより最適なものとなる。
【図面の簡単な説明】
【００１４】
【図１】一実施例を示す全体外観図である。
【図２】他の実施例を示す外観図である。
【図３】本考案の鍔付保持具を施工した壁構造の部分を示す斜視図である。
【図４】同上部分断面斜視図である。
【図５】同上壁の横断面図である。
【図６】他の鍔付保持具を施工した壁構造の部分を示す斜視図である。
【図７】同上壁の横断面図である。
【図８】他の鍔付保持具と他の胴縁を施工した壁構造の部分を示す斜視図である。
【図９】同上壁の横断面図である。
【符号の説明】
【００１５】１        平板２        平面鍔３        平面鍔４        支持立板５        傾斜側面６        ビス取付用孔７        横振れ防止材８        断熱材９        柱１０      間柱１１      構造用合板１２      縦胴縁１３      外壁材１４      取付けビス１５      通気層１６      横胴縁１７      通気孔
【図１】
0003134907.tif 000003
【図２】
0003134907.tif 000004
【図３】
0003134907.tif 000005
【図４】
0003134907.tif 000006
【図５】
0003134907.tif 000007
【図６】
0003134907.tif 000008
【図７】
0003134907.tif 000009
【図８】
0003134907.tif 000010
【図９】
0003134907.tif 000011